(57)【要約】【課題】  比較的小さな部品として形成した場合でも、紛失等を生じ難く扱いが容易な上、筆記具に組み付ける際の作業性も良好なリフィール識別部材を提供する。【解決手段】  筆記具に装着されて該筆記具におけるリフィールの種別を表示するリフィール識別部材において、前記筆記具に使用可能な交換用リフィール４０’（又は５０’）に対し装着するように形成されるとともに、前記筆記具に装着される際に交換用リフィール４０’（又は５０’）から分離されるように形成されている。【選択図】  図２２
2014159143.tif 000002
【特許請求の範囲】
【請求項１】
筆記具に装着されて該筆記具におけるリフィールの種別を表示するリフィール識別部材において、
前記筆記具に使用可能な交換用リフィールに対し装着するように形成されるとともに、前記筆記具に装着される際に前記交換用リフィールから分離されるように形成されていることを特徴とするリフィール識別部材。
【請求項２】
押子への進退操作により筆記部を出没させる出没式筆記具に装着するためのリフィール識別部材であって、前記押子に装着されるように形成されていることを特徴とする請求項１記載のリフィール識別部材。
【請求項３】
交換用リフィールの後端部に嵌め合せられるように形成されていることを特徴とする請求項１又は２記載のリフィール識別部材。
【請求項４】
前記筆記具に装着されるように形成された識別体と、交換用リフィールに装着されるように形成されるとともに前記識別体に対し分離可能に接続された補助体とを具備してなることを特徴とする請求項１乃至３何れか１項記載のリフィール識別部材。
【請求項５】
前記識別体に対し前記補助体が曲げられることでこれら識別体と補助体が分離するようにしたことを特徴とする請求項４記載のリフィール識別部材。
【請求項６】
前記補助体は、先端側が細くなって前記識別体に接続された接続部と、該接続部の接続方向に対し交差する方向へ延びた延設部とを一体に有し、前記接続方向を回転軸とした前記延設部の回動により前記接続部が捩じ曲げられて破断することを特徴とする請求項５記載のリフィール識別部材。
【発明の詳細な説明】
【技術分野】
【０００１】
本発明は、筆記具において筆記部を出没操作するための押子等に装着されて該筆記具のリフィールの種別（例えば、色や芯太さ等）を表示するリフィール識別部材に関するものである。
【背景技術】
【０００２】
従来の出没式筆記具には、特許文献１に記載されるもののように、軸筒（１０）と、該軸筒（１０）から露出した複数の押子（３０）と、これら押子（３０）の各々に装着されたリフィール（２１，２２）と、各押子（３０）に対し前記リフィールのインク色等に対応して固定されたリフィール識別部材（色識別体３２）とを備え、前記リフィール識別部材（色識別体３２）を目印にして選択された押子（３０）の操作により、該押子に対応するリフィール先端の筆記部（２１ａ）を出没させるようにしたものがある。
【０００３】
ところで、このような多色の出没式筆記具では、リフィールのインクが消耗してしまった場合に該リフィールを交換可能であるのは勿論のこと、前記リフィールを好みの色や先端太さの異なるものに交換することも可能である。
後者のような用い方をした場合には、交換後のリフィールの色と、予め押子に固定された前記リフィール識別部材の色とが対応しなくなってしまう場合がある。このようなことを回避するためには、リフィールを異なる種別のものに交換する際に、予め筆記具に装着されている前記リフィール識別部材も、交換後のリフィールの種別に対応するものに交換できるようにすることが提案される。
【０００４】
しかしながら、前記のようにリフィール識別部材を交換可能に構成した場合には、リフィール識別部材が押子等に比べて小さく形成されるため、部品管理段階、販売段階、組み換え作業段階等において、この小さなリフィール識別部材を紛失してしまうおそれがある。さらに、リフィール識別部材が小さいため、該リフィール識別部材を筆記具に対し組み付ける際の作業性が著しく低下してしまう可能性もある。
【先行技術文献】
【特許文献】
【０００５】
【特許文献１】特開２００９−１１３２８０公報
【発明の概要】
【発明が解決しようとする課題】
【０００６】
本発明は上記従来事情に鑑みてなされたものであり、その課題とする処は、比較的小さな部品として形成した場合でも、紛失等を生じ難く扱いが容易な上、筆記具に組み付ける際の作業性も良好なリフィール識別部材を提供することにある。
【課題を解決するための手段】
【０００７】
上記課題を解決するための一手段は、筆記具に装着されて該筆記具におけるリフィールの種別を表示するリフィール識別部材において、前記筆記具に使用可能な交換用リフィールに対し装着するように形成されるとともに、前記筆記具に装着される際に前記交換用リフィールから分離されるように形成されていることを特徴とする。
【発明の効果】
【０００８】
本発明は、以上説明したように構成されているので、リフィール識別部材の紛失等を生じ難く扱いが容易な上、筆記具に組み付ける際の作業性も良好である。
【図面の簡単な説明】
【０００９】
【図１】本実施の形態のリフィール識別部材を装着した出没式筆記具の側面図であり、前端側を一部切欠して内部構造を示している。
【図２】前記出没式筆記具の後部側断面図である。
【図３】本実施の形態のリフィール識別部材を装着したボールペン用の交換用リフィールの一例を示す側面図であり、後端側を一部切欠して内部構造を示している。
【図４】本実施の形態のリフィール識別部材を装着したシャープペンシル用の交換用リフィールの一例を示す側面図であり、後端側を一部切欠して内部構造を示している。
【図５】シャープペンシル用の交換用リフィールを保護ケースに収納した状態を示す断面図である。
【図６】クリップ体（押子）の一例を示す平面図である。
【図７】同クリップ体の側面図である。
【図８】図６の（VIII）‐（VIII）線に沿う断面図である。
【図９】図８の（IX）‐（IX）線に沿う端面図である。
【図１０】押子の一例を示す側面図である。
【図１１】同押子の縦断面図である。
【図１２】図１１の（XII）‐（XII）線に沿う端面図である。
【図１３】図１１の（XIII）‐（XIII）線に沿う端面図である。
【図１４】リフィール識別部材の一例を示す平面図である。
【図１５】図１４に対する正面図である。
【図１６】図１４の（XVI）‐（XVI）線に沿う断面図である。
【図１７】図１４に対する下面図である。
【図１８】図１５に対する右側面図である。
【図１９】識別体の一例を示す側面図である。
【図２０】図１９に対する右側面図である。
【図２１】図１９に対する下面図である。
【図２２】筆記具に対し識別体を装着する手順を（ａ）（ｂ）に順次に示す要部側面図である。
【図２３】図７の（XXIII）‐（XXIII）線に沿う端面図であり、治具により識別体を外そうとしている状態を示す。
【図２４】図１０の（XXIV）‐（XXIV）線に沿う端面図であり、治具により識別体を外そうとしている状態を示す。
【図２５】出没式筆記具の他例の後部側断面図である。
【発明を実施するための形態】
【００１０】
本実施の形態の第一の特徴としては、筆記具に装着されて該筆記具におけるリフィールの種別を表示するリフィール識別部材において、前記筆記具に使用可能な交換用リフィールに対し装着するように形成されるとともに、前記筆記具に装着される際に前記交換用リフィールから分離されるように形成されている。
ここで、前記「リフィール」の種別には、インク色の違いによる種別や、筆記部の太さの違いによる種別、シャープペンリフィールやボールペンリフィール等、機能的な違いによる種別等を含む。
この構成によれば、当該リフィール識別部材を交換用リフィールに装着した状態で扱えるため、当該リフィール識別部材の紛失を防いで、当該リフィール識別部材の部品管理や販売上の扱いを容易にすることができ、その上、当該リフィール識別部材を筆記具に装着する際の作業性も向上することができる。
【００１１】
第二の特徴としては、押子への進退操作により筆記部を出没させる出没式筆記具に装着するためのリフィール識別部材であって、前記押子に装着されるように形成されている。
この構成によれば、当該リフィール識別部材を押子に装着可能な小さな部品として形成した場合でも、当該リフィール識別部材の紛失を防いで、当該リフィール識別部材の部品管理や販売上の扱いを容易にすることができる上、当該リフィール識別部材を押子に装着する際の作業性も向上することができる。
【００１２】
第三の特徴としては、交換用リフィールの後端部に嵌め合せられるように形成されている。
この構成によれば、当該リフィール識別部材が、長尺な交換用リフィールの後端部に嵌め合せられて扱われるため、当該リフィール識別部材の部品管理、販売及び組立作業等の扱いをいっそう容易にすることができる。
【００１３】
第四の特徴としては、前記筆記具に装着されるように形成された識別体と、交換用リフィールに装着されるように形成されるとともに前記識別体に対し分離可能に接続された補助体とを具備してなる。
この構成によれば、識別体を小さな部品に形成した場合でも、補助体を有するため部品管理や交換作業等の扱いを容易にすることができる。
【００１４】
第五の特徴としては、前記識別体に対し前記補助体が曲げられることでこれら識別体と補助体が分離するようにした。
この構成によれば、識別体に対し補助体を曲げる操作によりこれら識別体と補助体を容易に分離することができる。
【００１５】
第六の特徴としては、前記補助体は、先端側が細くなって前記識別体に接続された接続部と、該接続部の接続方向に対し交差する方向へ延びた延設部とを一体に有し、前記接続方向を回転軸とした前記延設部の回動により前記接続部が捩じ曲げられて破断するようにした。
この構成によれば、接続部が捩じ曲げられて破断する構造であるため、識別体を補助体から分離する作業を容易にすることができる。
【００１６】
更なる特徴としては、部品管理や交換作業等の扱いをより容易にするために、前記識別体よりも前記補助体を長く形成した。
【００１７】
また、更なる特徴としては、ボールペン用リフィールに装着した場合に該リフィールの識別性を向上するために、前記識別体を、リフィールの筆記色に対応する色とした。
【００１８】
また、更なる特徴としては、リフィールの種別に応じて容易に組み替えられるように、当該リフィール識別部材を、筆記具に対し着脱可能に形成した。
【００１９】
また、応用例としては、前記リフィール識別部材を交換用リフィールの後端部に着脱可能に装着して、リフィール識別部材付き交換用リフィールを構成する。
【００２０】
さらに、応用例としては、前記リフィール識別部材を着脱可能に装着した筆記具を構成する。
【００２１】
次に、上記特徴を有する本実施の形態の好ましい具体例を、図面に基づいて詳細に説明する。
【００２２】
まず、本実施の形態のリフィール識別部材１００，１００’は、図１〜図５に示すように、出没式筆記具１に装着されて該筆記具１におけるリフィール４０，５０の種別を表示するためのものであり、出没式筆記具１に使用可能な交換用リフィール４０’，５０’に対し装着するように形成されるとともに、出没式筆記具１に装着される際には交換用リフィール４０’，５０’から分離されるように形成されている。
【００２３】
出没式筆記具１は、図１〜図２に示すように、前後方向へわたる案内孔１２ａ，１２ｂを周壁に有する略円筒状の軸筒１０と、案内孔１２ａ，１２ｂから軸筒外に露出した複数の押子２０，３０と、各押子２０，３０に対し着脱交換可能に装着されたシャープペンシル用リフィール４０及びボールペン用リフィール５０とを備えた多機能（多色）筆記具である。
そして、この出没式筆記具１は、選択された押子２０（又は３０）を後退位置から前進位置まで前進させた際に、該押子２０（又は３０）に対応する筆記部４１（又は５１）を突出するとともに、押子２０（又は３０）を軸筒内側へ沈み込ませて係止部１２ｃ２（又は１２ｄ２）（図２参照）に係止する。また、出没式筆記具１は、前記係止状態を、所定の解除操作（図示例によれば他の押子３０（又は２０）を前進させる操作）により解除し、先に前進した押子２０（又は３０）を後退させるとともに筆記部４１（又は５１）を没入させる。
また、同出没式筆記具１は、一つの押子２０を開閉操作可能なクリップとしても兼用することができるクリップ開閉操作機能付出没式筆記具として構成される。
【００２４】
出没式筆記具１の各構成要素について詳細に説明すれば、先ず、軸筒１０は、前軸１１に対し、後軸１２を着脱可能に接続してなる長尺円筒状の部材である。
そして、この軸筒１０の内部には、図２に示すように、シャープペンシル用リフィール４０及びボールペン用リフィール５０、これらリフィール４０，５０をそれぞれ軸方向へ案内するリフィールガイド部材６１、これらリフィール４０，５０をそれぞれ後方へ付勢する付勢部材６２（図示例によれば圧縮スプリング）、シャープペンシル用リフィール４０の後端にスペーサ４３を介して接続されるとともに押子２０を構成するスライド体２１、ボールペン用リフィール５０の後端に接続された押子３０等が設けられている。
【００２５】
なお、図１〜図２は、当該出没式筆記具１の基本構造を明確に示すために、一つのシャープペンシル用リフィール４０および一つのボールペン用リフィール５０のみを具備した例を示しているが、これらリフィールの数は単数又は複数とすることが可能である。
【００２６】
前軸１１は、前端部に、筆記部４１，５１を出没させるための開口部１１ａを有する略円筒状の部材であり、後軸１２に対し着脱可能に螺合接続されている。
【００２７】
後軸１２は、外周部に突出部分を有しない略長尺円筒状の部材である。この後軸１２は、その後端側周壁に、押子２０，３０を軸筒軸方向へ案内する案内孔１２ａ，１２ｂを有する。また、後軸１２内には、該後軸１２とは別体の筒状スライド体１２ｃが設けられる（図２参照）。
【００２８】
複数の案内孔１２ａ，１２ｂのうち、一方の案内孔１２ａは、開閉機能付クリップを構成する押子２０を案内するものであり、他方の案内孔１２ｂは、ボールペン用リフィール５０に対応する押子３０を案内するものである（図２参照）。
他方の案内孔１２ｂは、案内孔１２ａと略同長さで且つ案内孔１２ａよりも狭い幅で、前後方向へ連続する長尺状の貫通孔である。
【００２９】
筒状スライド体１２ｃは、後軸１２内の後端側に挿入され、軸筒１０から後方へ突出する部分にノック部１３を嵌め合せている（図２参照）。そして、この筒状スライド体１２ｃは、ノック部１３のノック操作により、前後方向へ進退して、シャープペンシル用リフィール４０を繰出し動作させる。なお、シャープペンシル用リフィール４０からの鉛芯の繰出しは、開閉操作機能付クリップである押子２０が前進位置にある際、該押子２０を進退させる操作と、ノック部１３をノックする操作との何れかの選択操作により可能である。
この筒状スライド体１２ｃの周壁には、押子２０，３０を前後スライド可能に受ける平坦面状のスライド面１２ｃ１，１２ｄ１や、該スライド面１２ｃ１，１２ｄ１に沿って前進した際の押子２０，３０を軸筒内側へ沈み込ませて係止する段状の係止部１２ｃ２，１２ｄ２等が設けられる。
【００３０】
押子２０は、案内孔１２ａに嵌り合って前後へ進退可能なスライド体２１と、該スライド体２１に支持されて軸筒外へ露出したクリップ体２２と、クリップ体２２を閉鎖方向へ付勢する付勢部材２３と、クリップ体２２に対し着脱交換可能に装着された識別体２４とを備え、クリップ体２２におけるスライド体２１との支持点Ｐよりも後側の部分が軸筒径内方向へ押動されることによって、クリップ体２２における支持点Ｐよりも前側の部分を軸筒外周面から離隔させて開放する開閉操作機能付クリップを構成している。
【００３１】
スライド体２１は、案内孔１２ａに沿って前後へスライドするように形成される。このスライド体２１には、案内孔１２ａ内で係止部１２ｃ２に係止される被係止部２１ａや、軸筒外径方向へ突出してクリップ体２２を回動可能に支持する支持凸部２１ｂ、シャープペンシル用リフィール４０を接続するリフィール接続部２１ｃ等が設けられる（図２参照）。
【００３２】
クリップ体２２は、軸筒１０外周面と略平行に前方へ延設された表部２２ａと、該表部２２ａの幅方向（図６の上下方向）の両側で軸筒側へ突出する二つの突片部２２ｂ，２２ｂ（図８参照）とから断面略凹状に形成される。
そして、このクリップ体２２は、二つの突片部２２ｂ，２２ｂがスライド体２１の支持凸部２１ｂに支持され、その支持点Ｐを中心にして回動する。
【００３３】
表部２２ａには、識別体２４を着脱交換可能に嵌合する被嵌合部２２ａ１が設けられる（図８参照）。
この被嵌合部２２ａ１は、識別体２４の識別本体部２４ａが挿入され嵌め合せられる識別本体部用凹部２２ａ１１と、該識別本体用凹部２２ａ１１内に位置するとともに識別体２４の接続突部２４ｂが挿入され嵌め合せられる被接続凹部２２ａ１２と、後述する被係合部２５の片半部を構成する切欠部２２ａ１３とからなる。
【００３４】
識別本体部用凹部２２ａ１１は、識別体２４の識別本体部２４ａに対し若干の遊びを有する状態で嵌り合うように形成された凹部である（図８参照）。
【００３５】
被接続凹部２２ａ１２は、軸筒径方向へ貫通する円筒状の孔であって、識別体２４の接続突部２４ｂを着脱可能に圧入するように形成される（図８参照）。
【００３６】
切欠部２２ａ１３は、識別本体部用凹部２２ａ１１の表部側をクリップ幅方向へ貫通しており、図示例によれば、略半円状に形成されている（図８参照）。
【００３７】
突片部２２ｂ，２２ｂは、表部２２ａのクリップ幅方向の両端部から軸筒側へ突出するとともに、クリップ体２２の前後方向の略全長にわたって連続するように形成される。これら突片部２２ｂ，２２ｂの前端側は、軸筒側へ突出して玉部２２ｂ１を構成している。また、これら突片部２２ｂ，２２ｂの後部側には、後述するスライド体２１の支持凸部２１ｂ側面の凹部に嵌り合って、回転可能に支持される突起状の軸部２２ｂ２を有する（図８参照）。
【００３８】
また、付勢部材２３は、圧縮コイルスプリングであり、スライド体２１とクリップ体２２の間において、支持点Ｐよりも後側に挿入されて、クリップ体２２の後端側を軸筒１０から離れる方向へ付勢している（図２参照）。
この付勢部材２３は、クリップ体２２を閉鎖方向へ付勢するものであればよく、引張バネや、板バネ、支持点Ｐに設けられるねじりコイルバネ等に置換することが可能である。
【００３９】
識別体２４は、リフィール４０，５０の種別を表示する識別本体部２４ａと、識別本体部２４ａからクリップ体２２側へ突出する接続突部２４ｂとを一体に備え、接続突部２４ｂを押子２０（詳細にはクリップ体２２）に挿入し嵌め合せた際に、識別本体部２４ａがクリップ体２２内に若干の遊びを有する状態で嵌り合うように構成される。
【００４０】
識別本体部２４ａは、筆記部４１，５１の種別に対応する色を表示した状態でクリップ体２２の外部に露出するように形成される。この識別本体部２４ａは、本実施の形態の一例によれば、接続突部２４ｂと一体成形される合成樹脂材料の色を筆記部４１に対応する色としているが、他例としては、該識別本体部２４ａの表面の一部又は全体に着色を施した態様とすることも可能である。
さらに、この識別本体部２４ａの他例としては、該識別本体部２４ａの外観形状によって筆記部４１，５１を識別できる態様としてもよく、例えば、該識別本体部２４ａを筆記部４１，５１に対応するマスコット形状とし、意匠上の体裁を向上するようにしてもよい。
【００４１】
そして、この識別本体部２４ａには、切欠部２４ａ１が設けられる（図１９参照）。この切欠部２４ａ１は、クリップ前後方向の位置をクリップ体２２の切欠部２２ａ１３（図８参照）に対応させるようにして、識別本体部２４ａ前後方向の中央寄りに配置され、押子２０をクリップ幅方向へ貫通した被係合部２５を構成する（図２３参照）。
【００４２】
被係合部２５は、クリップ体２２の切欠部２２ａ１３と、識別体２４の切欠部２４ａ１とによって囲まれるとともにクリップ幅方向へ貫通する孔である。この被係合部２５の内面には、該被係合部２５の奥へ向かって内部空間を狭めるように傾斜面２４ａ１１が形成される。この傾斜面２４ａ１１は、被係合部２５内に所定の治具Ｘが挿入された際に、治具Ｘから受ける押圧力が徐々に増加するように作用する（図２３参照）。
なお、この傾斜面２４ａ１１は、図示例によれば、識別体２４側のみに設けているが、同様の傾斜面を、クリップ体２２側のみに設けたり、識別体２４側及びクリップ体２２側の双方に設けるようにしてもよい。
【００４３】
また、接続突部２４ｂは、その外周面に複数の縦リブ２４ｂ１を有し（図１９〜図２１参照）、これら縦リブ２４ｂ１をクリップ体２２の被接続凹部２２ａ１２内周面（図８及び図９参照）に圧接している。
【００４４】
また、他方の押子３０は、案内孔１２ｂ内のスライド面１２ｄ１に沿って前後へスライドするように形成された押子本体３１と、押子本体３１に着脱交換可能に装着された識別体３２とから構成される（図１０参照）。
【００４５】
押子本体３１は、案内孔１２ｂ内の係止部１２ｄ２に係止される被係止部３１ａや、軸筒周壁から軸筒外径方向へ突出する操作部３１ｂ、ボールペン用リフィール５０を接続するリフィール接続部３１ｃ等を備え、操作部３１ｂに形成された被嵌合部３１ｂ１に識別体３２を装着している。
【００４６】
押子本体３１の被嵌合部３１ｂ１は、クリップ体２２の被嵌合部２２ａ１と同様にして、識別本体部用凹部３１ｂ１１、被接続凹部３１ｂ１２、切欠部３１ｂ１３等を有する（図１１参照）。
【００４７】
識別体３２は、上述した押子２０の識別体２４と同一形状の部品であり、識別体２４と同様に、識別本体部３２ａと接続突部３２ｂからなり、識別本体部３２ａに切欠部３２ａ１を有し、接続突部３２ｂに複数の縦リブ３２ｂ１を有し、切欠部３２ａ１には傾斜面３２ａ１１が形成される（図１９〜図２１参照）。
この識別体３２は、上記識別体２４とは異なる色の合成樹脂材料から成形されている。
【００４８】
そして、上記構成の押子本体３１と識別体３２の間には、押子２０の構成と同様に、治具Ｘを挿入するための被係合部３５が構成される（図２４参照）。
【００４９】
またシャープペンシル用リフィール４０は、押子２０又はノック部１３のノック操作により後部側が進退運動することで、芯タンク４２内の鉛芯を、前端の筆記部４１から繰り出すように構成されている。このシャープペンシル用リフィール４０の後端部にはスペーサ４３が接続され、該スペーサ４３に対しスライド体２１前端のリフィール接続部２１ｃが挿入され嵌合されている。
【００５０】
また、ボールペン用リフィール５０は、インクタンク５２内のインクを筆記部５１前端の転写ボールから吐出するように構成されている。
【００５１】
シャープペンシル用リフィール４０後端側のスペーサ４３は、同外形のリフィール接続部２１ｃ，３１ｃに対し異なる内径のリフィールを接続するための部材であり、このスペーサ４３の後端側内径は、ボールペン用リフィール５０の後端側内径と略同径に形成される。
したがって、スライド体２１には、スペーサ４３を介してシャープペンシル用リフィール４０を接続可能であるのは勿論のこと、ボールペン用リフィール５０を直接接続することも可能である。
【００５２】
次に、上記構成の出没式筆記具１におけるシャープペンシル用リフィール４０やボールペン用リフィール５０を、交換用リフィール４０’，５０’に交換する際に併せて交換されるリフィール識別部材１００，１００’について詳細に説明する。なお、符号１００’で示すリフィール識別部材は、リフィール識別部材１００と同一構成で色違いのものであるため、重複する詳細説明を省略する。
【００５３】
リフィール識別部材１００は、出没式筆記具１の複数種類の押子２０，３０に対し、何れにも装着可能に形成されるとともに、出没式筆記具１に使用可能な交換用リフィール４０’，５０’に対し分離可能に装着するように形成される。
詳細に説明すれば、このリフィール識別部材１００は、出没式筆記具１の押子２０，３０に装着されるように形成された識別体１１０と、交換用リフィール４０’，５０’に装着されるように形成されるとともに識別体１１０に対し分離可能に接続された補助体１２０とを具備し、合成樹脂材料の成形により一体に構成されている（図１４〜図１８参照）。
【００５４】
識別体１１０は、上述した識別体２４，３２と同構成の部材であり、対応する交換用リフィール４０’，５０’の種別（例えば、インク色、芯太さ等）に応じて、異なる色や、模様、外観形状に構成される。
そして、この識別体１１０の両側部は、補助体１２０に接続されている。
【００５５】
補助体１２０は、識別体１１０の両側部に接続された二つの接続部１２１，１２１と、これら接続部１２１，１２１の接続方向（図１４によれば上下方向）に対し交差する方向へ延びた延設部１２２と、該延設部１２２において識別体１１０側に対する反対側に位置するリフィール接続部１２３とを一体に具備してなる（図１４〜図１８参照）。
【００５６】
各接続部１２１は、略円錐状に先端側が細くなった部位であり、その先端部が識別体１１０の側面に対し、略直交するようにして一体に接続されている。
二つの接続部１２１，１２１は、識別体１１０を両側から挟むように位置して対称に設けられる。
【００５７】
また、これら接続部１２１，１２１は、識別体１１０における前後方向において接続突部２４ｂ（又は３２ｂ）の近傍に配置される（図１７参照）。この配置によれば、識別体１１０が搬送や梱包時の衝撃により回動して脱落してしまうのを防ぐことができる。すなわち、仮に、接続部１２１，１２１を接続突部２４ｂから前方へ離れた位置に配置した場合には、接続部１２１，１２１と接続突部２４ｂとの間の寸法が長くなるため、前記寸法を腕の長さとした識別体１１０の回転モーメントが比較的大きくなり、接続部１２１が振動等によって意図せずに容易に分離してしまうおそれがあるが、本実施の形態ではこのような不具合を防ぐことができる。
【００５８】
延設部１２２は、二つの接続部１２１から、出没式筆記具１の軸方向に沿う後方（図１４によれば右方向）へ向かうように延設され、図示例によれば平面視略Ｃ字状に形成される。この延設部１２２は、当該リフィール識別部材１００を樹脂成型する際には、識別体１１０やリフィール接続部１２３へ溶融樹脂を導くランナーとして作用する。
この延設部１２２には、識別体１１０の接続突部２４ｂ（３２ｂ）と同方向へ突出する複数（図示例によれば三つ）の突起１２２ａ，１２２ａ，１２２ｂを有する（図１５〜図１７参照）。
【００５９】
二つの突起１２２ａ，１２２ａは、識別体１１０を間に置いてその両側に位置するように配置される（図１７参照）。また、突起１２２ｂは、二つの接続部１２２ａ，１２２ａの間の略中心線上においてリフィール接続部１２３寄りに配置される。
これら突起１２２ａ，１２２ａ，１２２ｂは、当該リフィール識別部材１００を樹脂成型する際には、当該リフィール識別部材１００を突き出して成形金型から分離する突出しピンの被当接部として作用する。
また、後側の突起１２２ｂは、識別体１１０の接続突部２４ｂ（又は３２ｂ）と同等の突出量に形成される。この寸法設定によれば、当該リフィール識別部材１００が載置された際や梱包された際に、識別体１１０のみが、他の物体（例えば梱包材等）に当接して押圧されて、延設部１２２から分離してしまうようなことを防ぐことができる。
【００６０】
また、リフィール接続部１２３は、延設部１２２から後方（図１４によれば右方向）へ突出する突起状に形成される。このリフィール接続部１２３は、交換用リフィール４０’，５０’の後端開口部の内周面に嵌合されるように、その突端側に幅方向へ拡大した凸曲面状の突起１２３ａ（図１４及び図１７参照）を有する。
【００６１】
そして、上記構成のリフィール識別部材１００は、交換用リフィール４０’（又は５０’）の後端部に着脱可能に接続される。この接続状態において、当該リフィール識別部材１００を構成する識別体１１０、延設部１２２及びリフィール接続部１２３は、交換用リフィール４０’（又は５０’）の軸心上に、略直線状に並んで配置される（図１５参照）。
【００６２】
一方の交換用リフィール４０’は、例えば、上記シャープペンシル用リフィール４０に対し径の異なる鉛芯を使用可能にしたシャープペンシル用リフィールである。
また、他方の交換用リフィール５０’は、例えば、上記ボールペン用リフィール５０に対し色の異なるインクを具備したボールペン用リフィールである。
【００６３】
次に、上記構成のリフィール識別部材１００，１００’について、その特徴的な作用効果を詳細に説明する。
リフィール識別部材１００（又は１００’）は、図３及び図４に示すように、交換用リフィール４０’（又は５０’）の後端部に着脱可能に装着されて、リフィール識別部材付き交換用リフィールＡ（又はＢ）を構成する。
【００６４】
図３に示すように、シャープペンシル用のリフィール識別部材付き交換用リフィールＡを構成する場合には、シャープペンシル用の交換用リフィール４０’に対し上記スペーサ４３を介してリフィール識別部材１００が接続される。
そして、このリフィール識別部材付き交換用リフィールＡは、図５に示すように、円筒状の保護ケースａに挿入され、この状態で梱包袋や梱包箱等に収納される。
【００６５】
また、図４に示すように、ボールペン用のリフィール識別部材付き交換用リフィールＢを構成する場合には、ボールペン用の交換用リフィール５０’に対しリフィール識別部材１００’が直接接続される。そして、このリフィール識別部材付き交換用リフィールＢは、図示しない包装袋や梱包箱等に収納される。
【００６６】
よって、リフィール識別部材１００（又は１００’）と交換用リフィール４０’（又は５０’）とが一体的に扱われるため、部品管理段階及び販売段階等において、比較的小さな部品である識別体１１０の紛失を防ぐことができる上、識別体１１０を包装袋又は包装箱等から取り出したりする作業等も容易に行うことができる。
【００６７】
また、例えば、リフィール識別部材付き交換用リフィールＢの識別体１１０を出没式筆記具１の押子本体３１に装着する際には、リフィール識別部材付き交換用リフィールＢを手で掴む等して、図２２（ａ）に示すように、押子本体３１の識別本体部用凹部３１ｂ１１に対し、識別体１１０を軸筒径方向へ挿入して嵌め合せ、その後、図２２（ｂ）に示すように、接続部１２１の接続方向を回転軸として、延設部１２２及び交換用リフィール５０’等を回動させれば、接続部１２１の細くなった部分（図１４参照）が捩じ曲げられて破断し、識別体１１０が分離される。
交換用リフィール５０’側に残った延設部１２２等は、手で交換用リフィール５０’から外して廃棄等すればよい。また、交換用リフィール５０’はボールペン用リフィール５０と交換すればよい。
また、他のリフィール識別部材付き交換用リフィールＡについて、識別体１１０を出没式筆記具１の押子２０に装着する作業も、上記と同様にして行うことができる。
【００６８】
よって、前記のような識別体１１０の交換作業においても、識別体１１０の紛失を防ぐことができる上、識別体１１０を押子に装着し分離する作業を容易に行うことができる。
【００６９】
また、出没式筆記具１から識別体２４（３２又は１１０）を外す作業は、以下の手順により容易に行うことができる。
先ず、図２３及び図２４に示すように、押子２０（又は３０）の被係合部２５（又は３５）に対し、棒状の治具Ｘが挿入される。治具Ｘは、図示例によれば、ボールペン用リフィールであり、その先端チップが、被係合部２５（又は３５）に挿入される。
この際、被係合部２５（又は３５）は貫通孔であるため、挿入した治具Ｘの先端部（ボールペンリフィールの先端チップ）が損傷するようなことを防ぐことができる。
そして、治具Ｘを被係合部２５（又は３５）内へ押し込めば、治具Ｘの先端側が、識別体２４（又は３２）の傾斜面２４ａ１１（又は３２ａ１１）と、押子２０（３０）の双方に当接し摺接して、識別体２４（３２又は１１０）が押子２０（３０）から抜け出て外れる。
なお、治具Ｘ先端を被係合部２５（又は３５）内へ差し込み、識別体２４（３２又は１１０）を治具Ｘでこじるようにして外すことも可能である。
【００７０】
よって、上記出没式筆記具１によれば、リフィール４０，５０を好みの色や機能の交換用リフィール４０’，５０’に交換した際に、識別体２４（又は３２）を、交換用リフィール４０’，５０’の種別に対応する識別体１１０に、容易に交換することができる。
【００７１】
次に、他の具体例について説明する。なお、以下に示す出没式筆記具は、上述した出没式筆記具１を一部変更したものであるため、主に、その変更部分について詳細に説明し、重複する説明を省略する。
【００７２】
図２５に示す出没式筆記具２は、前記出没式筆記具１に対し、クリップ体２２をクリップ体２２’に置換したものである。
【００７３】
クリップ体２２’は、識別体１１０の突起１２２ｂに対応する位置に、突起１２２ｂと嵌脱可能な仮嵌合部２２ａ２を有する。
仮嵌合部２２ａ２は、図示例によれば、突起１２２ｂを抜き差し可能な貫通孔であり、付勢部材２３の中心部に対応して配設されている。
【００７４】
よって、図２５に示す出没式筆記具２によれば、リフィール識別部材１００の識別体１１０を押子２０に装着する際、補助体１２０の突起１２２ｂが仮嵌合部２２ａ２に嵌り合って位置決めされる。このため、押子２０に対し識別体１１０を装着する際の作業性を、より向上することができる。
【００７５】
なお、上記具体例によれば、交換用リフィール４０’（又は５０’）から分離される識別体１１０が、押子２０（又は３０）に装着されるようにしたが、他例としては、同識別体１１０が、押子以外の部位（例えば、軸筒１０における押子２０又は３０の近傍やその他の位置等）に装着されるようにすることも可能である。
【００７６】
また、上記具体例によれば、識別体１１０を多機能（多色）の出没式筆記具に装着するようにしたが、他例としては、識別体１１０が単機能（単色）の出没式筆記具に装着されるようにした態様や、識別体１１０が筆記部の出没しない筆記具に装着されるようにした態様等とすることも可能である。
【００７７】
また、上記具体例によれば、リフィール識別部材１００が交換用リフィール４０’（又は５０’）の後端開口部に挿入され接続される態様としたが、他例としては、リフィール識別部材１００が交換用リフィール４０’（又は５０’）の後端部に環状に嵌り合う態様や、リフィール識別部材１００が交換用リフィール４０’（又は５０’）における後端部以外の部分に嵌り合う態様等とすることも可能である。
【００７８】
また、上記具体例によれば、交換用リフィール４０’（又は５０’）に対し補助体１２０を介して識別体１１０が接続される態様としたが、他例としては、識別体１１０自体に、交換用リフィール４０’（又は５０’）と直接嵌脱可能な嵌合部を設けて、この識別体１１０を、補助体１２０を介することなく直接、交換用リフィール４０’（又は５０’）に対し着脱可能に接続することも可能である。
【００７９】
また、上記具体例によれば、識別体１１０の両側部に補助体１２０を接続した態様としたが、他例としては、識別体１１０の片方の側部に補助体１２０を接続した態様や、識別体１１０の前端部、後端部、又は表部（図１における上側の面）等、側部以外の部分に補助体１２０を接続した態様とすることも可能である。
【００８０】
また、上記具体例によれば、識別体１１０に対し補助体１２０を捩じ曲げるようにして分離する態様としたが、他例としては、識別体１１０に対し補助体１２０を折り曲げるようにして分離する態様とすることも可能である。
【００８１】
また、図５に示す態様では、リフィール識別部材付き交換用リフィールＡの交換用リフィール４０’に対し保護ケースａを筒状に被せているが、他の好ましい一例としては、交換用リフィール４０’に対し筒状に被せた保護ケースａが、補助体１２０に嵌り合うように、補助体１２０に被嵌合部を設けるようにしてもよい。この構成によれば、交換用リフィール４０’に対し保護ケースａががたつくのを防止し、交換用リフィール４０’をより効果的に保護することができる。
【００８２】
また、図２５に示す態様では、補助体１２０に嵌り合う孔状の仮嵌合部２２ａ２を設けたが、他例としては、押子２０の後部側に補助体１２０と嵌り合う凸状の仮嵌合部を設けたり、補助体１２０が押子２０の後部側を幅方向に跨って嵌り合うようにすることも可能である。
【００８３】
また、上記具体例によれば、識別体２４，３２，１１０を凸状に設けて、該識別体２４，３２，１１０が押子２０（又は３０）をスライド操作する際の手掛け部としても機能するようにしたが、他例としては、識別体２４，３２，１１０を押子２０（又は３０）と面一にした態様や、識別体２４，３２，１１０を押子２０（又は３０）内に目視可能に没入した態様とすることも可能である。
【００８４】
また、上記具体例によれば、識別体２４，３２，１１０を同一の外観形状としたが、他例としては、複数の識別部のうち、その一部または全部を他のものとは異なる外観形状にしてもよい。
【００８５】
また、上記具体例によれば、識別体２４，３２，１１０がリフィールの種別に応じた色を表示するようにしたが、この識別部の他例としては、リフィールの種別に応じた所定形状を有する態様、リフィールの種別に応じた文字や記号、模様、図形等を表示した態様等とすることが可能である。
【００８６】
また、上記具体例によれば、識別体２４，３２，１１０を外すための治具Ｘとしてポールペンを用いたが、他例としては、治具Ｘとして爪楊枝やその他の棒状部材又は先細状部材を用いることも可能である。さらに、治具Ｘを用いずに、識別体２４，３２，１１０を手で押したり引っ張ったりして着脱する態様とすることも可能である。
【符号の説明】
【００８７】
１，２：出没式筆記具
１０：軸筒
２０，３０：押子
２１：スライド体
２２：クリップ体
２４，３２：識別体
２５，３５：被係合部
３１：押子本体
４０：シャープペンシル用リフィール
４０’：交換用リフィール（シャープペンシル用）
５０：ボールペン用リフィール
５０’：交換用リフィール（ボールペン用）
１００，１００’：リフィール識別部材
１１０：識別体
１２０：補助体
１２１：接続部
１２２：延設部
１２３：リフィール接続部
Ｘ：治具
【図１】
2014159143.tif 000003
【図２】
2014159143.tif 000004
【図３】
2014159143.tif 000005
【図４】
2014159143.tif 000006
【図５】
2014159143.tif 000007
【図６】
2014159143.tif 000008
【図７】
2014159143.tif 000009
【図８】
2014159143.tif 000010
【図９】
2014159143.tif 000011
【図１０】
2014159143.tif 000012
【図１１】
2014159143.tif 000013
【図１２】
2014159143.tif 000014
【図１３】
2014159143.tif 000015
【図１４】
2014159143.tif 000016
【図１５】
2014159143.tif 000017
【図１６】
2014159143.tif 000018
【図１７】
2014159143.tif 000019
【図１８】
2014159143.tif 000020
【図１９】
2014159143.tif 000021
【図２０】
2014159143.tif 000022
【図２１】
2014159143.tif 000023
【図２２】
2014159143.tif 000024
【図２３】
2014159143.tif 000025
【図２４】
2014159143.tif 000026
【図２５】
2014159143.tif 000027